(57)【要約】      （修正有）【課題】ハンドバッグ等に入れ、外出時に商店等の床に犬等が排尿した際、すばやく取り出せて処置できる拭取りシートが、提供されてなく、買い物時、急に紙等で処置しようとしても、吸水量が十分で無かったり、他の買物客に不快感を与えていた。【解決手段】愛玩動物の外出時の拭取りシートにおいて、愛玩動物が床の上にした排尿を上方より拭取る拭取りシートであって、該拭取りシートの上面は、不透液性の上部シート４で構成され、該上部シートの内部には、高分子吸水剤９と吸水層１０とが吸水性多孔質紙材８により内包されており、更にそれらの下面には、透水性カバー５が前記上部シートの接着部と接着手段により、密に接着されたことを特徴とする愛玩動物用拭取りシートを提供する。【選択図】図4
0003103438.tif 000002
【実用新案登録請求の範囲】
【請求項１】
愛玩動物の外出時の拭取りシートにおいて、愛玩動物が床の上にした排尿を上方より拭取る拭取りシートであって、該拭取りシートの上面は、不透液性の上部シートで構成され、拭取りシートの本体部の縦の長さＡ及び横の長さＢは、夫々１０〜２５ｃｍ、厚さＴは１ｍｍから１５ｍｍに構成されて、該拭取りシート１枚あたりの吸水量は２００ミリリットル（ｍｌ）以下となっており、該上部シートの外周部は、接着部として上部シートと一体に構成されており、該上部シートの内側には、高分子吸水剤と吸水層とが、吸水性多孔質紙材により内包されており、更に前記高分子吸収剤、または吸水層、または吸水性多孔質紙材の下面には、透水性カバーが設けられ、前記上部シートの接着部と接着手段により、密に接着されており、前記上部シートの材質は、ポリエチレン（ＰＥ）、ポリプロピレン（ＰＰ）、塩化ビニール等の不透液性の合成樹脂または不透液性の合成紙であり、前記高分子吸収剤の材質は、ビニールエステルとエチレン系不飽和カルボン酸、あるいはその誘導体との共重合体、または、ポリエチレングリコールの架橋体または、アクリル系の、澱粉とアクリル酸の共重合体、ポリアクリル酸の架橋物、ビニールアルコールとアクリル酸との共重合体、またはポリアクリルニトリルの部分加水分解物で、それらを一種単独または組合わせて使用し、前記高分子吸収剤の使用量は、１平方センチ当り１．０〜５．０ミリグラム使用し、また前記吸水層の材質は、植物繊維等からなる紙等の粉砕パルプが用いられ、その使用量は、１平方センチ当り５．０〜３０．０ミリグラムであり、前記透水性カバーの材質は、合成繊維、または天然繊維から成る不織布で構成されたことを特徴とする愛玩動物用拭取りシート。
【考案の詳細な説明】
【技術分野】
【０００１】  本考案は、愛玩動物の外出時の拭取りシートに関する。
【背景技術】
【０００２】  従来より、愛玩動物用製品は、室内で使用するものが数多く供給されてきたがいずれも室内で使うための対策を講じた消臭効果のあるものや、愛玩動物が座って使用するためのシーツ等のものであった。【０００３】  これらの例としては、［特開２００３−９２９４０号］等がある。しかし、この引例においても、あくまでも犬等の動物自体に使わせることを考慮した物であって、その動物が室内で、動物の判断で使用するいわゆる犬等のしつけに使用する物品であった。そのために噛み千切って室内に散乱させることを防止するため、唐辛子等の成分を含有させたものであった。
【特許文献１】特開２００３−９２９４０号
【考案の開示】
【考案が解決しようとする課題】
【０００４】  本考案は、愛玩動物の外出時の拭取りシートに関する物である。
近年、人間の生活パートナーとしての愛玩動物の存在が重要視され、ストレス解消や精神安定上の効果が大きく評価され、いわゆるペットブームとなってきている。
特に犬はその忠実な特性より、盲導犬や、警備犬、散歩等の健康保持のための運動の協力者として、人間の外出時に同行することが多くなってきている。【０００５】  更に最近では、それが時代的認識の大きな変化で、デパートやブティック等の商店内や商店街も人間に同伴して犬が入場することを拒まない社会的認識変化がおきてきており犬等の外出の機会が非常に多くなってきている。本考案はそれらの時代の新しいニーズに対応した極めて実用的な物品を提供するものである。
【課題を解決するための手段】
【０００６】    愛玩動物の外出時の拭取りシートにおいて、拭取りシートの上面は、不透液性の上部シートで構成され、拭取りシートの吸水部の縦の長さＡ及び横の長さＢは、夫々１０〜２５ｃｍ、厚さＴは１ｍｍから１５ｍｍに構成されて、該拭取りシート１枚あたりの吸水量は２００ｍｌ以下となっており、該上部シートのその外周部は、接着部として一体に構成されている。【０００７】  該上部シートの内側には、高分子吸水剤と吸水層とが吸水性多孔質紙材により内包されており、更に前記高分子吸収剤、または吸水層、または吸水性多孔質紙材の下面には、透水性カバーが前記上部シートの接着部と接着手段により、内包する高分子吸収剤、吸水層、及び吸水性多孔質紙材が漏出しないよう密に接着されている。【０００８】  上記上部シートの材質は、ポリエチレン（ＰＥ）、ポリプロピレン（ＰＰ）、塩化ビニール、等の不透液性の合成樹脂、または不透液性の合成紙であり、前記高分子吸収剤の材質は、ビニールエステルとエチレン系不飽和カルボン酸、あるいはその誘導体との共重合体、または、ポリエチレングリコールの架橋体またはアクリル系の、澱粉とアクリル酸の共重合体、ポリアクリル酸の架橋物、ビニールアルコールとアクリル酸との共重合体、またはポリアクリルニトリルの部分加水分解物で、それらを一種単独または組合わせて使用する。前記高分子吸収剤の使用量は、１平方センチ当り１．０から５．０ミリグラム使用している。【０００９】  また前記吸水層の材質は、植物繊維等からなる紙等の粉砕パルプが用いられ、その使用量は、１平方センチ当り５．０から３０．０ミリグラムであり、前記透水性カバーの材質は、合成繊維、または天然繊維から成る不織布で構成されたことを特徴とする愛玩動物用拭取りシートを提供するものである。
【考案の効果】
【００１０】  ハンドバッグ等に入れ、外出時に商店等の床に犬等が排尿した際、すばやく取り出せて処置できる拭取りシートが、提供されてなく、買い物時、急に紙等で処置しようとしても、吸水量が十分で無かったり、他の買物客に不快感を与えていた。
それに対処し、本考案の拭取りシート３は以下の実用的特徴を有するものである。【００１１】  １．全体の大きさは、外出時に、買い物袋か、ハンドバッグに入れられる寸法である。【００１２】  ２．片手の掌で把持しやすい大きさにすることによりすばやく処理することができる。【００１３】  ３．一方、商店等に出入りできるのは主として小型の犬等であり、その平均的な排尿量は、一回当り２０ミリリットル（以下「ｍｌ」と表示）〜１０００ｍｌであるので排尿量の少ないときは拭取りシート３を１枚使用し、多いときは５枚程度使用すれば十分処置することができる。【００１４】  ４．吸水性多孔質紙材８で高分子吸水材９と吸水層１０を外周より巻き込んで構成することにより、高分子吸水材９と吸水層１０が、ばらばらにバラけることなく上部シート４の内部にうまく収納されることを構造上の特徴としている。【００１５】  ５．吸水性多孔質紙材８と高分子吸水材９と吸水層１０と透水性カバー５により、小さい大きさで充分な吸水量を得ることができる。
【考案を実施するための最良の形態】
【００１６】  本考案は、考案の効果に前述した如く、極めて実用的な愛玩動物の排尿時の処理が迅速にできる構成を提供したものである。【００１７】  なお、本考案の前記ならびにそのほかの目的と新規な特徴は次の説明を添付図面と照らし合わせて読むと、より完全に明らかになるであろう。
ただし、図面はもっぱら解説のためのものであって、本考案の技術的範囲を限定するものではない。以下図面に基づいて詳細を説明する。
【実施例】
【００１８】  以下、本考案の実施例について、図面を参照しながら説明する。
この実施例は、図１は、使用状態の斜視図を示すもので、図２は、本考案拭取りシートの平面図、図３は側面図、図４はａ−ａ断面図を示している。【００１９】  図１に示すように、商店等のジュータンやフローリング等の床１に、付着した犬等の排尿２に対し、本考案の拭取りシート３をその上面にあてがい、排尿直後に拭取るものである。【００２０】  したがってその上面は、掌と接触するため不透液性の上部シート４で構成され、また床１に接触する下面は透水性、及び吸水性のある不織布等の透水性カバー５で構成されている。また、全体の大きさは、外出時に、買い物袋か、ハンドバッグに入れられる寸法であり、加えて片手の掌で把持しやすい特定の大きさにすることにより本考案の目的に対処するように構成されている。【００２１】図１に示すように拭取りシート３の本体部６の縦の長さＡ及び横の長さＢは、夫々１０〜２５ｃｍに構成されている。それは前述のように、外出時、使用するので少なくともハンドバッグ等に入れやすい大きさであることが必要であり、加えて片手の掌で把持し易い寸法でなければならない。したがって１０センチより小さいと拭取りシートの機能を発揮せず、２５ｃｍより大きいとハンドバッグ等に入りにくく、また片手の掌で把持しにくくなるためである。【００２２】また、厚さＴも同様に１ｍｍから１５ｍｍが望ましい。なお、本体部６の外周の接着部７の幅寸法Ｃは、１〜１５ｍｍに構成されている。【００２３】一方、商店等に出入りできるのは主として小型の犬等であり、その平均的な排尿量は、一回当り、２０ミリリットル（以下「ｍｌ」と表示）〜１０００ｍｌである。
排尿量の少ないときは拭取りシート３を１枚使用し、多いときは５枚程度使用すれば十分処置することができる。【００２４】  したがって、拭取りシート１枚あたりの吸水量は２００ｍｌあれば十分であり、長さＡ，Ｂと共に、拭取りシート３の大きさの重要な構成要件となっている。【００２５】  本実施例１の構造は、図４に示すごとく、掌と接触する上部シート４の外周部は、折り曲げ角度９０度以下に折り曲げられ、更に水平に曲げ返され、外周部は、接着部７として上部シート４と一体に構成されている。なお、接着部７は図１〜図４は本体部６の外周に設けられているが、これらの図面に限定されず、本体部６の内周側に幅寸法Ｃで折り返しても良い。該上部シート４の材質は、不透液性の合成樹脂、または不透液性の合成紙であればいずれでも良く、例えばポリエチレン（ＰＥ）、ポリプロピレン（ＰＰ）、塩化ビニール、合成紙等が使用されるが、不透液性のシートであれば良く、これらに限定されるものではない。【００２６】  上部シート４の内面には、一般にティッシュペーパーと呼ばれる吸水性多孔質紙材８が配置されている。【００２７】  該吸水性多孔質紙材８の内面には、一般にポリマーと呼ばれている高分子吸水剤９が配置され、更にその下面には、粉砕パルプ等の吸水層１０が配置されている。
前記吸水性多孔質紙材８は図示の如く高分子吸水剤９と吸水層１０を外周より巻き込んで構成されている。このように構成することにより、高分子吸水剤９と吸水層１０は吸水性多孔質紙材８により取り巻かればらばらにバラけることなく上部シート４の内部に収納されるのである。このことが構造上の特徴の一つとなっている。但し、図１〜４図に限定されず、高分子吸水材９と吸水層１０を吸水性多孔質紙材８でサンドイッチ状に挟んだ形態として安定させても良い。【００２８】  前記高分子吸収剤９は、材質としては、例えばビニールエステルとエチレン系不飽和カルボン酸、あるいはその誘導体との共重合体、または、ポリエチレングリコールの架橋体、またはアクリル系の澱粉とアクリル酸の共重合体、ポリアクリル酸の架橋物、ビニールアルコールとアクリル酸との共重合体、またはポリアクリルニトリルの部分加水分解物などが上げられる。それらを一種単独または組合わせることにより最適構成を選択することができる。【００２９】  前記高分子吸収剤９の使用量は、特に限定されるものでないが、望ましくは１平方センチ当り１．０から５．０ミリグラム使用することが望ましい。これは１．０ミリグラム未満であると、吸水効果に乏しく、５．０ミリグラム以上では、拭取りシート３が高価になってしまうからである。【００３０】  また前記吸水層１０の材質は、植物繊維等からなる紙等の粉砕パルプが用いられるが、その使用量は、特に限定されるものでないが、望ましくは１平方センチ当り５．０から３０．０ミリグラム使用することが望ましい。これは５．０ミリグラム未満であると、吸水効果に乏しく、３０．０ミリグラム以上では、嵩ばってしまい、また拭取りシート３が高価になってしまうからである。【００３１】  更に前記高分子吸収剤９の下面には、前記透水性カバー５が設けられ、その外周部は前記上部シート４の接着部７とホットメルト、接着剤等の接着手段１１により、内包する高分子吸収剤９、吸水層１０、及び吸水性多孔質紙材８が漏出しないよう密に接着されている。
更に上部シート４の内面と吸水性多孔質紙材８の上面も接着手段１１により接着される。
別の形態としては図１〜４図に制限されず、吸水性多孔質紙材８、または吸水層１０の下面に前記透水性カバー５を設けても良い。【００３２】  透水性カバー５の材質は例えば、合成繊維、または天然繊維から成る不織布で、具体的には、例えばポリプロピレン繊維、ポリエチレンテレフタレート繊維等を用いたスバンボンド製不織布等が望ましい。【００３３】  このように構成することにより、拭取りシート３は携帯性に優れるので、外出時、商店等で愛玩動物が排尿しても直ちに、清掃、処理することができるのである。
【産業上の利用可能性】
【００３４】    本考案の活用例としては、以上説明したように、外出時、商店等で愛玩動物が排尿しても直ちに、清掃、処理することができるため、愛玩動物の飼育上に極めて有効であり、最近の時流にマッチしたペット産業に寄与する物である。
【図面の簡単な説明】
【００３５】
【図１】本考案の拭取りシートの使用状態の斜視図である。
【図２】本考案の拭取りシートの本考案による平面図である。
【図３】本考案の拭取りシートの本考案による側面図である。
【図４】本考案の拭取りシートのａ−ａ断面図である。
【符号の説明】
【００３６】１    床
２    排尿
３    拭取りシート
４    上部シート
５    透水性カバー
６    本体部
７    接着部
８    吸水性多孔質紙材
９    高分子吸収剤
１０  吸水層
１１  接着手段
【図１】
0003103438.tif 000003
【図２】
0003103438.tif 000004
【図３】
0003103438.tif 000005
【図４】
0003103438.tif 000006